(57)【要約】【課題】残留物が残らないようにしたチェーンコンベア装置及びそのための操作容易な残留防止装置を提供する。【解決手段】２つの端部１８及び搬送物の投入口１１及び排出口を有するダクト３、ダクト内に配置され搬送物を投入口から排出口へ移動させるコンベアチェーン２２、並びに残留防止装置８を含むチェーンコンベア装置１において、コンベアチェーン２２は、各端部に隣接して配置された各チェーンホイール３２に係合され、残留防止装置８は、チェーンホイールに係合されたコンベアチェーンの外周形状に対応する残留防止板４０、及び残留防止板を取外し自在にダクトに固着するターンバックルを含む。【選択図】    図１
2008174313.tif 000002
【特許請求の範囲】
【請求項１】
２つの端部及び搬送物の投入口及び排出口を有するダクト（３）、ダクト内に配置され搬送物を投入口から排出口へ移動させるコンベアチェーン（２２）、ダクトの各端部に隣接して配置されると共にコンベアチェーンに係合されるチェーンホイール（３２）、並びに残留防止装置（８）を含むチェーンコンベア装置であって、
残留防止装置（８）は、チェーンホイールの外周形状に対応する曲板（４２）を有する残留防止板（４０）、及び残留防止板をダクトの所定位置に固着するターンバックル（７０）を含むことを特徴とするチェーンコンベア装置。
【請求項２】
前記ダクト（３）はダクトの２つの端部の間を略水平方向伸長する筒状空間を包囲する上蓋（１３）、下板（１４）、及び向い合う２つの側板（１５、１６）を有し、前記残留防止板（４０）は更に２つの固定部材（５２、６２）を含み、該固定部材はフランジ部分（５４、６４）及び平板部分（５６、６６）を有し、曲板の側縁（４４）と固定部材のフランジ部分が調節可能に固着され、前記ターンバックル（７０）は２つの固定部材（５２、６２）の間で伸長し固定部材の平板部分（５６、６６）をダクトの側板の所定位置に押圧し固着可能であることを特徴とする請求項１に記載のチェーンコンベア装置。
【請求項３】
前記固定部材の平板部分（５６、６６）とダクトの側板（１５、１６）との間にパッキン材（３８）が配置されることを特徴とする請求項２に記載のチェーンコンベア装置。
【請求項４】
前記固定部材のフランジ部分（５４、６４）は水平方向の長軸を有するスロット（５５、６５）を有し、前記曲板（４２）はその側縁に一端が固定され他端が前記スロットから突出するボルト（４３）を有し、前記ボルト（４３）の他端にナット部材（４６）をねじ込むことにより曲板の側縁（４４）とフランジ部分が調節可能に固着されることを特徴とする請求項２又は３のいずれかに記載のチェーンコンベア装置。
【請求項５】
前記コンベアチェーン（２２）は複数の送り羽根（２４）及び送り羽根に固着されダクトの底板に対し摺動可能なフェルト部材（２１）を含むことを特徴とする請求項１乃至４のいずれかに記載のチェーンコンベア装置。
【請求項６】
前記ダクトの端部（１８）は透明板を含み、該透明板を介し残留防止板及びその付近が透視可能であることを特徴とする請求項１乃至５のいずれかに記載のチェーンコンベア装置。
【請求項７】
前記ターンバックル（７０）は、同軸に配置され互いに反対方向のねじを切られた２本のボルト（７２、７４）、及びバックル（７６）を含み、該バックルは、２本のボルトの各々のねじに係合される２つのねじ孔（７７）を有するものであることを特徴とする請求項１乃至６のいずれかに記載のチェーンコンベア装置。
【請求項８】
２つの端部及び搬送物の投入口及び排出口を有するダクト（３）、並びにダクト内に配置され搬送物を投入口から排出口へ移動させるコンベアチェーン（２２）を含むチェーンコンベア装置（１）に組込まれる残留防止装置（８）であって、
前記ダクトは、上蓋、下板、及び向い合う２つの側板に包囲された筒状空間を含むものであり、コンベアチェーン（２２）は、ダクトの端部に隣接して配置されるチェーンホイール（３２）に係合されてダクト内を循環するものであり、
残留防止装置（８）は、チェーンホイールの外周形状に対応する形状の曲板（４２）を有する残留防止板（４０）、及び該残留防止板をダクトの所定位置に固着するターンバックル（７０）を含むことを特徴とする残留防止装置。
【請求項９】
前記残留防止板（４０）は互いに平行な２つの側縁（４４）を有する曲板（４２）、及び２つの固定部材（５２、６２）を含み、固定部材はフランジ部分（５４、６４）及び平板部分（５６、６６）を有し、曲板の側縁（４４）と固定部材のフランジ部分（５４、６４）が調節可能に固着され、前記ターンバックル（７０）は、２つの固定部材（５２、６２）の間で伸長し固定部材の平板部分（５６、６６）をダクトの側板（１５、１６）の所定位置に押圧することを特徴とする請求項９に記載の残留防止装置。
【請求項１０】
前記固定部材のフランジ部分（５４、６４）は水平方向の長軸を有するスロット（５５）を有し、前記曲板（４２）はその側縁（４４）に一端が固定され他端が前記スロット（５５）から突出するボルト（４３）を有し、前記ボルト（４３）の他端にナット部材をねじ込むことにより曲板の側縁とフランジ部分が調節可能に固着されることを特徴とする請求項９に記載の残留防止装置。
【発明の詳細な説明】
【発明の属する技術分野】
【０００１】
本発明は、サイロへ穀物を搬入搬出するため等に使用されるチェーンコンベア装置及びチェーンコンベア装置に組込み可能な残留防止装置に関する。チェーンコンベア装置は、２つの端部及び搬送物の投入口及び排出口を有するダクトと、ダクト内に配置され搬送物を投入口から排出口へ移動させるコンベアチェーンと、残留防止装置とを含む。
【従来の技術】
【０００２】
製粉工場、穀物飼料工場、製油工場、穀物サイロ等において、小麦、大豆等の穀物の搬送には、一般にチェーンコンベア装置が使用される。チェーンコンベア装置は、２つの端部及び搬送物の投入口及び排出口を有するダクト、並びにダクト内に配置され搬送物を投入口から排出口へ移動させるコンベアチェーンを備える。チェーンコンベア装置においては、ダクトの端部に残留する穀物残留物が、穀物害虫（コクゾウ、ノシメマダラメイガ、コクヌストモドキ等）の発生源となる。これを防止するため、定期的にダクトの上蓋を外し端部を清掃して残留物を除去することが必要である。また、害虫が発生した場合は、ダクト内に殺虫剤、例えば、有毒なリン化水素、くん蒸剤（ＤＤＶＰ製剤）を供給し、殺虫消毒することが必要である。
【０００３】
また、チェーンコンベア装置のダクトの端部に穀物が残留すると、異種穀物を搬送するとき、搬送される穀物に異種穀物が混入する問題が生じる。このような異種混合の問題を回避するためにも残留物の清掃除去が必要である。このような問題に関連した従来技術は、特許文献１に開示される。特許文献１は、粒状物搬送コンベアの残留防止板とチェーンホイールの移動調整装置を開示する。特許文献１の移動調整装置は、チェーンホイールと残留防止板との間隔を一定に保持するため、チェーンホイールの軸支部の進退移動機構と残留防止板の進退移動機構とを１つの入力操作で同期して駆動する入力同期機構を備える。また、残留防止板の湾曲内面にそって下方に向けて空気を噴射させる噴射ノズルを含む。
【特許文献１】特開２００２−６８４５１号公報
【発明の開示】
【発明が解決しようとする課題】
【０００４】
本発明の目的は、チェーンコンベア装置のダクトの端部に残留物が残らないようにする構造が簡単で操作が容易な残留防止装置を備えるチェーンコンベア装置を提供することである。より詳しくは、チェーンホイールの軸支部の進退移動に対応して容易に進退移動可能な残留防止装置を備えたチェーンコンベア装置を提供することである。また本発明の目的は、チェーンコンベア装置を収容するダクト内に残留物が残らないようにチェーンに清掃機能を備えたチェーンコンベア装置を提供することである。更に本発明の目的は、チェーンコンベア装置の端部に容易に取付けることが可能な残留防止装置を提供することである。本発明のその他の目的、効果、利点は、以下の説明及び特許請求の範囲の記載から明らかにされる。
【課題を解決するための手段】
【０００５】
本発明のチェーンコンベア装置は、２つの端部及び搬送物の投入口及び排出口を有するダクト、ダクト内に配置され搬送物を投入口から排出口へ移動させるコンベアチェーン、ダクトの各端部に隣接して配置されると共にコンベアチェーンに係合されるチェーンホイール、並びに残留防止装置を含む。本発明のチェーンコンベア装置において、残留防止装置は、チェーンホイールの外周形状に対応する曲板を有する残留防止板、及び残留防止板をダクトの所定位置に固着するターンバックルを含む。本発明のチェーンコンベア装置において、ダクトはダクトの２つの端部の間を略水平方向伸長する筒状空間を包囲する上蓋、下板、及び向い合う２つの側板を有し、前記残留防止板は更に２つの固定部材を含む。この固定部材はフランジ部分及び平板部分を有し、曲板の側縁と固定部材のフランジ部分が調節可能に固着される。ターンバックルは２つの固定部材の間で伸長し固定部材の平板部分をダクトの側板の所定位置に押圧し固着可能である。
【０００６】
本発明のチェーンコンベア装置は、好ましくは次の特徴の１つ又は組合せを含む。（１）前記固定部材の平板部分とダクトの側板との間にパッキン材が配置される。（２）固定部材のフランジ部分は水平方向の長軸を有するスロットを有する。前記曲板はその側縁に一端が固定され他端が前記スロットから突出するボルトを有する。前記ボルトの他端にナット部材をねじ込むことにより曲板の側縁とフランジ部分が調節可能に固着される。（３）前記コンベアチェーンは複数の送り羽根及び送り羽根に固着されダクトの底板に対し摺動可能なフェルト部材を含む。（４）前記ダクトの端部は透明板を含み、この透明板を介し残留防止板及びその付近が透視可能である。（５）前記ターンバックルは、同軸に配置され互いに反対方向のねじを切られた２本のボルト、及びバックルを含み、このバックルは、２本のボルトの各々のねじに係合される２つのねじ孔を有する。
【０００７】
本発明の残留防止装置は、２つの端部及び搬送物の投入口及び排出口を有するダクト、並びにダクト内に配置され搬送物を投入口から排出口へ移動させるコンベアチェーンを含むチェーンコンベア装置に組込まれる。前記ダクトは、上蓋、下板、及び向い合う２つの側板に包囲された筒状空間を含むものであり、コンベアチェーンは、ダクトの端部に隣接して配置されるチェーンホイールに係合されてダクト内を循環するものである。残留防止装置は、チェーンホイールの外周形状に対応する形状の曲板を有する残留防止板、及びこのこの残留防止板をダクトの所定位置に固着するターンバックルを含む。
【０００８】
本発明の残留防止装置は、好ましくは次の特徴の１つ又は組合せを含む。（１）前記残留防止板は互いに平行な２つの側縁を有する曲板、及び２つの固定部材を含み、固定部材はフランジ部分及び平板部分を有し、曲板の側縁と固定部材のフランジ部分が調節可能に固着される。（２）前記ターンバックルは、２つの固定部材の間で伸長し固定部材の平板部分をダクトの側板の所定位置に押圧する。（３）前記固定部材のフランジ部分は水平方向の長軸を有するスロットを有し、前記曲板はその側縁に一端が固定され他端が前記スロットから突出するボルトを有し、前記ボルトの他端にナット部材をねじ込むことにより曲板の側縁とフランジ部分が調節可能に固着される。
【０００９】
本発明の残留防止装置を備えたチェーンコンベア装置は、ダクトの端部に搬送された物品の残留物が残らないので、搬送される物品を変更したときに、チェーンコンベア装置の分解掃除を要することなく異種の物品が混合する問題を防止することができる。また、残留物による害虫の発生を防止可能である。本発明の残留防止装置は、ターンバックルを操作することによりチェーンコンベア装置の端部に容易に取付けることが可能である。また取付け位置を容易に移動可能であるので、チェーンホイールの調整移動に容易に対応することができる。本発明の残留防止装置は、曲板と固定部材との間が調節可能に固定され、水平方向（コンベアチェーンの幅方向）の寸法が可変であるので、ダクトの端部への挿入が容易であり、またダクトの水平方向の変化に対応可能である。本発明のその他の作用効果及び利点は、図面を参照する以下の説明及び特許請求の範囲の記載において明らかにされる。
【発明の実施の態様】
【００１０】
図面を参照し、本発明のチェーンコンベア装置及び残留防止装置を説明する。図１は、本発明の実施例のチェーンコンベア装置１の概略垂直断面図、図２は、図１のチェーンコンベアの側面図であり端板１８を除去して示す図である。図３は、本発明の実施例の残留防止板の概略斜視図であり、図４は、本発明の実施例の残留防止板の固定部材の概略斜視図である。図１〜図４において、チェーンコンベア装置１は、２つの端部１８（図１は１つの端部１８のみを示す）及び搬送物の投入口１１及び排出口（図示されない）を有するダクト３、ダクト３内に配置され搬送物を投入口１１から排出口へ移動させるコンベアチェーン２２、ダクト３の各端部に隣接して配置されると共にコンベアチェーン２２に係合されるチェーンホイール３２、並びに残留防止装置８を含む。ダクトの長さは、例えば、５０ｍであり、チェーンホイール３２の位置は、コンベアチェーンの長さに合わせて調整することが必要である。
【００１１】
本発明の残留防止装置８は、それがない場合に生じるダクト端部付近の残留物７が生じないようにすることを目的とするものである。チェーンコンベア装置において、周回するコンベアチェーン２２の両端に配置される２つのチェーンホイール３２（図１は一方のチェーンホイール３２のみを示す）は、コンベアチェーン２２のゆるみを調節するため、それらの支持軸３３が相互に近接、離間方向に移動可能であることが必要である。本発明において、チェーンコンベア装置１の残留防止装置８は、チェーンホイール３２の外周形状に対応する曲板４２を有する残留防止板４０、及び残留防止板４０をダクト３の所定位置に固着するターンバックル７０を含む。ターンバックル７０は、簡単な操作により残留防止板４０を移動着脱可能であるため、チェーンホイールの支持軸３３の移動に対応させ、容易に所定位置へ配置することが可能である。
【００１２】
図１のチェーンコンベア装置１において、ダクト３は、その２つの端部１８（図１は１つの端部１８のみを示す）の間を略水平方向伸長する筒状空間を含み、この筒状空間は、上蓋１３、下板１４、及び向い合う２つの側板１５、１６により包囲される。ダクトの高さは、例えば６０ｃｍであり、幅寸法は、例えば、３５ｃｍである。残留防止板４０は、互いに平行の２つの側縁を有する曲板４２、及び２つの固定部材５２、６２を含む。固定部材５２、６２は、それぞれ曲板４２の側縁４４に対応するフランジ部分５４、６４及びダクトの側板１５又は１６に平行な平板部分５６、６６を有する。曲板４２の側縁４４、４４と固定部材５２、６２のフランジ部分５４、６４がそれぞれ調節可能に固着される。曲板の厚さは、例えば、１０ｍｍであり、曲板４２の湾曲部は、例えば、チェーンホイールと同心で、曲率半径が３０ｃｍとすることができる。
【００１３】
図２は、図１のチェーンコンベアの側面図であり端板を除去して示す図であり、図に示すように、固定部材の平板部分５６、６６とダクトの側板１６、１５との間にパッキン材３８が配置される。このパッキン材３８は、好適にはスポンジ材料からなり、平板部分５６、６６とダクトの側板１６、１５との間を密封し搬送物の漏洩を防止する。このパッキン材３８は、またターンバックル７０のボルト７２、７４の両端に弾性力を作用させ、ターンバックルのゆるみを防止し、締付け力の変化を防止する。
【００１４】
図５は、曲板４２の側縁４４と固定部材５２又は６２のフランジ部分５４とを調節可能に固着する構造の水平断面図である。図５に示すように、固定部材のフランジ部分５４は水平方向の長軸を有するスロット５５（図４、図５）を有し、曲板４２は、その側縁４４に一端が固定され他端がスロット５５から突出するボルト４３を有する。スロット５５は、長軸方向の寸法が２８．５ｍｍ、長軸に直角方向の寸法が８．５ｍｍである。図５に示すようにボルト４３の他端（スロット５５から突出した部分）にナット部材４６をねじ込むことにより曲板の側縁４２と固定部材のフランジ部分５４が固着される。ナット部材４６ねじ込む前は、ボルト４３は、スロット５５の水平方向の長軸に沿ってスロット内を移動可能であるため、曲板の側縁４２と固定部材のフランジ部分５４との間の水平方向の相対移動が可能であり、曲板の側縁４２と固定部材のフランジ部分５４は、水平方向に調節可能である。
【００１５】
図６は、本発明の実施例の残留防止装置のターンバックル７０の概略断面図である。図６に示すように、ターンバックル７０は、同軸に配置される２本のボルト７２、７４、及びバックル７６を含む。バックル７６は、２本のボルトの各々にねじ係合される２つのねじ孔７７を有する。ボルト７２と７４は、互いに異なる方向のねじが切られると共にそれぞれ対応するバックル７６の孔７７に切られたねじと噛み合うようにされる。バックルがボルトの共通の軸のまわりに一つの方向に回転させるとき、２つのボルトの頭部７３、７５が互いに離間する方向に移動され、他の方向に回転させるとき、２つのボルトの頭部７３、７５は互いに接近するように移動する。ターンバックル７０の２つのボルトの頭部７３と７５の間の距離は、例えば３５ｃｍ（ダクトの横方向寸法）である。
【００１６】
図７は、本発明の実施例の残留防止装置８の背面図（ダクトの端部１８から見た図）であり、ダクトの端部に３個のターンバックル７０が配置された状態を示す。図７に示すように、固定部材５２、６２の平板部分５６、６６は、ターンバックル７０の２つのボルト７２、７４の頭部７３、７５に係合してボルト７２、７４の頭部７３、７５が軸線回りに回転しないように支持する対の支持金具５７、６７を備える。図７に示すようにターンバックル７０の２つのボルト７２、７４の頭部７３、７５を固定部材の対の支持金具５７、６７と係合させ、バックル７６をボルト７２、７４の頭部７３、７５が互いに離間する方向へ回転させると、２つの固定部材の平板部分がそれぞれダクトの側板に押圧されて側板に固着される。また、バックル７６をボルト７２、７４の頭部７３、７５が互いに接近する方向へ回転させると、２つの固定部材の平板部分がそれぞれダクトの側板から離間され、残留防止板を側板に対し容易に移動可能である。
【００１７】
図１を更に参照すると、コンベアチェーン２２は、複数の送り羽根２４及び送り羽根に固着されたフェルト部材２１を含む。フェルト部材２１は、ダクトの底板１４に対し摺動可能にされる。この構造により、投入口から搬送物を供給しないで、コンベアチェーンを駆動することにより、短時間（例えば数分）でダクト内から搬送物を、別途掃除を行なうことなく、除去することが可能である。また、ダクトの端部１８は透明板（図示しない）を含み、この透明板を介し残留防止装置８及びその付近が透視可能とされる。この構造により、ダクト端部及び残留防止装置８を容易に点検することが可能である。
【図面の簡単な説明】
【００１８】
【図１】本発明の実施例のチェーンコンベア装置の概略垂直断面図。
【図２】図１のチェーンコンベアの側面図であり端板を除去して示す図。
【図３】本発明の実施例の残留防止板の概略斜視図。
【図４】本発明の実施例の残留防止板の固定部材の概略斜視図。
【図５】残留防止板の曲板と固定装置との連結部分の概略水平断面図。
【図６】本発明の実施例の残留防止装置のターンバックルの概略断面図。
【図７】本発明の実施例の残留防止装置の背面図である。
【符号の説明】
【００１９】
１：チェーンコンベア、３：筒状空間、６：搬送物、７：残留物、８：残留防止装置、１１：投入口、１３：上蓋、１４：底板、１５、１６：側板、１７：点検口、１８：端板（透明板）、２１：フエルト板、２２：コンベアチェーン、２４：送り羽根、３０：コンベアエンド、３２：チェーンホイール、３８：パッキン材、４０：残留防止板、４２：曲板、４３：皿ビス、４４：側縁、４６：留め金具、５２、６２：固着具、５４、６４：フランジ、５５：スロット、５６、６６：平板部、５７：留め金具、７０：ターンバックル、７２、７４：ボルト、７３、７５：ボルト頭部、７６：バックル、７７：ねじ孔。
【図１】
2008174313.tif 000003
【図２】
2008174313.tif 000004
【図３】
2008174313.tif 000005
【図４】
2008174313.tif 000006
【図５】
2008174313.tif 000007
【図６】
2008174313.tif 000008
【図７】
2008174313.tif 000009